(57)【要約】【課題】  清潔効果を有する熱交換器を提供する。【解決手段】  複数平行の冷却管からなる熱交換部材と、前記冷却管の外周壁を清潔する清潔部材と、を有し、前記冷却管は、注入口と排出口を有する内パイプと、外パイプからなり、該内パイプの外周壁に案内部材が設けられ、前記外パイプが該内パイプの外部に取付けられると共に、該外パイプの一端に前記内パイプの排出口に対応する固定端部が設けられると共に、他端に排出端部が設けられ、前記清潔部材は、前記冷却管の両端に夫々設けられる前取付プレートと後取付プレートと、前記前取付プレートと後取付プレートとの間における冷却管に摺動可能に設けられると共に、該冷却管に貫通される複数の収容孔を有する可動プレートと、該可動プレートの収容孔の内壁に設けられるブラシ部材と、前記可動プレートを駆動するための駆動装置と、を備えることを特徴とする。【選択図】  図１
0003125294.tif 000002
【実用新案登録請求の範囲】
【請求項１】
複数平行の冷却管からなる熱交換部材と、前記冷却管の外周壁を清潔する清潔部材と、を有し、
前記冷却管は、注入口と排出口を有する内パイプと、外パイプからなり、該内パイプの外周壁に案内部材が設けられ、前記外パイプが該内パイプの外部に取付けられると共に、該外パイプの一端に前記内パイプの排出口に対応する固定端部が設けられると共に、他端に排出端部が設けられ、
前記清潔部材は、前記冷却管の両端に夫々設けられる前取付プレートと後取付プレートと、前記前取付プレートと後取付プレートとの間における冷却管に摺動可能に設けられると共に、該冷却管に貫通される複数の収容孔を有する可動プレートと、該可動プレートの収容孔の内壁に設けられるブラシ部材と、前記可動プレートを駆動するための駆動装置と、を備えることを特徴とする清潔効果を有する熱交換器。
【請求項２】
前記可動プレートの両側に夫々連結プレートが設けられ、前記駆動装置は、該連結プレートと結合される伝動装置と、モーター部材からなり、
前記伝動装置は、前記前取付プレートに設けられる二つの被動ギアと、前記後取付プレートに設けられる二つの伝動ギアと、前記被動ギアと伝動ギアとの間に設けられる二つのチェーンとを有し、
該チェーンがさらに前記可動プレートに連結すると共に、前記冷却管に平行し、前記被動ギアと伝動ギアの動作に応じて回れるように設置され、
前記モーター部材は、出力軸を有するモーターと、該モーターの出力軸と伝動装置との間に設けられる駆動部材と、を備えることを特徴とする請求項１に記載の清潔効果を有する熱交換器。
【請求項３】
前記収容孔の内壁にねじ山が形成され、前記ブラシ部材は、該収容孔のねじ山に対応するねじ山が形成される管状のブラシ本体と、前記ブラシ本体の内側に設けられるブラシ毛とを有し、該ブラシ部材が係脱可能に前記収容孔に設けられ、該ブラシ毛の端部が前記外パイプの外周壁と接触されることを特徴とする請求項１に記載の清潔効果を有する熱交換器。
【考案の詳細な説明】
【技術分野】
【０００１】
本考案は、特に複数の冷却管と、少なくとも前記冷却管に貫通される複数の収容孔を有する可動プレートと、前記可動プレートの収容孔に設けられるブラシ部材からなる清潔効果を有する熱交換器に関するものである。
【背景技術】
【０００２】
一般に熱交換器は、例えば、冷却システムの冷媒や高温流体などの熱量を熱交換させるために使用するものである。
【０００３】
また、従来の熱交換器は空冷式と水冷式の二種類に分けられ、どちらも管状又は平面状などの構造を有し、内部に冷媒や高温流体を含み、該冷媒や高温流体の熱量を冷却空気または冷却水によって熱交換することにより、冷媒や高温流体の温度を下げる。
【考案の開示】
【考案が解決しようとする課題】
【０００４】
しかしながら、従来の熱交換器の外側に塵埃などの汚れを積むため、熱交換の効率を低下するという問題があった。
【０００５】
そこで、案出されたのが本考案であって、外側に積んだ汚れを除去する清潔効果を有する熱交換器を提供することを目的としている。
【課題を解決するための手段】
【０００６】
本願の請求項１の考案は、複数平行の冷却管からなる熱交換部材と、前記冷却管の外周壁を清潔する清潔部材と、を有し、
前記冷却管は、注入口と排出口を有する内パイプと、外パイプからなり、該内パイプの外周壁に案内部材が設けられ、前記外パイプが該内パイプの外部に取付けられると共に、該外パイプの一端に前記内パイプの排出口に対応する固定端部が設けられると共に、他端に排出端部が設けられ、
前記清潔部材は、前記冷却管の両端に夫々設けられる前取付プレートと後取付プレートと、前記前取付プレートと後取付プレートとの間における冷却管に摺動可能に設けられると共に、該冷却管に貫通される複数の収容孔を有する可動プレートと、該可動プレートの収容孔の内壁に設けられるブラシ部材と、前記可動プレートを駆動するための駆動装置と、を備えることを特徴とする清潔効果を有する熱交換器、を提供する。
【０００７】
本願の請求項２の考案は、前記可動プレートの両側に夫々連結プレートが設けられ、前記駆動装置は、該連結プレートと結合される伝動装置と、モーター部材からなり、
前記伝動装置は、前記前取付プレートに設けられる二つの被動ギアと、前記後取付プレートに設けられる二つの伝動ギアと、前記被動ギアと伝動ギアとの間に設けられる二つのチェーンとを有し、
該チェーンがさらに前記可動プレートに連結すると共に、前記冷却管に平行し、前記被動ギアと伝動ギアの動作に応じて回れるように設置され、
前記モーター部材は、出力軸を有するモーターと、該モーターの出力軸と伝動装置との間に設けられる駆動部材と、を備えることを特徴とする請求項１に記載の清潔効果を有する熱交換器、を提供する。
【０００８】
本願の請求項３の考案は、前記収容孔の内壁にねじ山が形成され、前記ブラシ部材は、該収容孔のねじ山に対応するねじ山が形成される管状のブラシ本体と、前記ブラシ本体の内側に設けられるブラシ毛とを有し、該ブラシ部材が係脱可能に前記収容孔に設けられ、該ブラシ毛の端部が前記外パイプの外周壁と接触されることを特徴とする請求項１に記載の清潔効果を有する熱交換器、を提供する。
【考案の効果】
【０００９】
本考案は上記の課題を解決するものであり、冷却管に貫通される複数の収容孔を備える可動プレートを有し、該収容孔に清潔部材が設けられ、該清潔部材が冷却管の外側に積んだ汚れを除去することにより、優れた熱交換の効率を維持することができる。
【考案を実施するための最良の形態】
【００１０】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１１】
図１は本考案に係る清潔効果を有する熱交換器の平面図であり、図２は本考案に係る清潔効果を有する熱交換器の一部分解斜視図であり、図３は本考案に係る清潔効果を有する熱交換器の使用状態を示す一部断面図であり、図４は本考案に係る清潔効果を有する熱交換器における冷却管の使用状態を示す一部断面図であり、図５は本考案に係る清潔効果を有する熱交換器におけるブラシ部材の斜視図であり、図６は本考案に係る清潔効果を有する熱交換器におけるブラシ部材と可動プレートの組合状態を示す一部断面図であり、図７は本考案に係る清潔効果を有する熱交換器における清潔部材の使用状態を示す側視図である。
【００１２】
図１及び図２に示すように、本考案に係る清潔部材を有する熱交換器は、熱交換部材（１０）と清潔部材（２０）と、を有する。
【００１３】
前記熱交換部材（１０）は複数平行の冷却管（１１）からなり、前記冷却管（１１）は、注入口（１２１）と排出口（１２２）を有する内パイプ（１２）と、外パイプ（１３）からなり、該内パイプの外周壁に螺旋状の案内部材（１２３）が設けられ、前記外パイプ（１３）の内周壁が該内パイプ（１２）の外周壁の案内部材（１２３）と接触することにより、該内パイプ（１２）の外部に該外パイプ（１３）が取付けられ、又、該外パイプ（１３）の一端に前記内パイプ（１２）の排出口（１２２）に対応する固定端部（１３１）が設けられると共に、他端に排出端部（１３２）が設けられる。
【００１４】
図３及び図４に示すように、前記内パイプ（１２）と外パイプ（１３）の内部に冷媒や高温流体を含み、該外パイプ（１３）の外部に冷却水によって熱交換することにより、冷媒や高温流体の温度を下げる。
【００１５】
前記内パイプ（１２）と外パイプ（１３）の内部に含まれる冷媒や高温流体を流動させるため、冷媒や高温流体が該冷却管（１１）の内パイプ（１２）の注入口（１２１）から該内パイプ（１２）に注入され、内パイプ（１２）の排出口（１２２）に通じて外パイプ（１３）の固定端部（１３１）に流れた後、該外パイプ（１３）の内周壁と該内パイプ（１２）の外周壁と前記案内部材（１２３）とからなる通路を経由し、外パイプ（１３）の排出端部（１３２）から冷却管（１１）の外側へ排出される。
【００１６】
前記清潔部材（２０）は、前記冷却管（１１）の両端に夫々設けられる前取付プレート（２１）と後取付プレート（２２）と、前記前取付プレート（２１）と後取付プレート（２２）との間における冷却管（１１）に摺動可能に設けられる可動プレート（２３）と、該可動プレート（２３）の収容孔（２３１）の内壁に設けられるブラシ部材（２４）と、前記可動プレート（２３）を駆動するための駆動装置（２５）と、を備え、該可動プレート（２３）に該冷却管（１１）を貫設するために内周壁にねじ山（２３２）を有する複数の収容孔（２３１）が形成され、外周縁の両側にそれぞれ連結プレート（２３３）が凸設される。
【００１７】
前記前取付プレート（２１）に、前記冷却管（１１）の外パイプ（１３）の固定端部（１３１）を係止するために複数の係止孔（２１１）が設けられ、前記後取付プレート（２２）に、前記外パイプ（１３）を取付けるために複数の取付孔（２２１）が設けられることにより、該前取付プレート（２１）と後取付プレート（２２）との間に該冷却管（１１）が固定される。
【００１８】
図５と図６に示すように、前記収容孔（２３１）の内壁にねじ山（２３２）が形成され、前記ブラシ部材（２４）は、該収容孔（２３１）のねじ山（２３２）に対応するねじ山（２４３）が形成される管状のブラシ本体（２４１）と、前記ブラシ本体（２４１）の内側に設けられるブラシ毛（２４２）とを有し、該ブラシ部材（２４）が係脱可能に前記収容孔（２３１）に設けられ、該ブラシ毛の端部が前記外パイプ（１３）の外周壁と接触される。
【００１９】
また、該ブラシ部材（２４）のブラシ本体（２４１）は、前記収容孔（２３１）と螺合することにより、安定的に且つ係脱可能に前記収容孔（２３１）に取付けられるので、長期間の使用によりブラシ部材（２４）が破損する場合、該ブラシ部材（２４）と収容孔（２３１）との螺合を解除し、新しいブラシ部材（２４）を交換することができる。
【００２０】
前記駆動装置（２５）は、該連結プレート（２３３）と結合される伝動装置（２６）と、モーター部材（２７）からなり、
前記伝動装置（２６）は、前記前取付プレート（２１）に設けられる二つの被動ギア（２６１）と、前記後取付プレート（２２）に設けられる二つの伝動ギア（２６３）と、前記被動ギア（２６１）と伝動ギア（２６３）との間に設けられる二つのチェーン（２６２）とを有し、
該チェーン（２６２）は前記冷却管（１１）と平行するに前記可動プレート（２３）に連結されると共に、前記被動ギア（２６１）と伝動ギア（２６３）の動作に応じて回転され、
前記モーター部材（２７）は、出力軸を有するモーター（２７１）と、該モーター（２７１）の出力軸と伝動装置（２６）との間に設けられる駆動部材（２７２）と、を備える。
【００２１】
図１と図７に示すように、前記モーター（２７１）を起動させ、前記駆動部材（２７２）と伝動装置（２６）の伝動により、前記可動プレート（２３）を移動させ、該可動プレート（２３）の収容孔（２３１）に取付けられるブラシ部材（２４）のブラシ毛（２４２）を前記外パイプ（１３）の外周壁と接触しながら、該外パイプ（１３）の軸方向へ摺動することにより、該外パイプ（１３）の外周壁に積んだ汚れを除去する。
【００２２】
また、前記可動プレート（２３）の安定性を向上させるために、前記前取付プレート（２１）と前記後取付プレート（２２）との間に、前記可動プレート（２３）を貫通すると共に、該伝動装置（２６）と平行する複数のレール（２８）が設けられることにより、該可動プレート（２３）が安定的に移動することができる。
【００２３】
前記可動プレート（２３）に対する後取付プレート（２２）の反対側にさらに夫々の冷却管（１１）と連通する貯液部（２９）が設けられる。
【００２４】
前記後取付プレート（２２）に設けられる貯液部（２９）は、該前記後取付プレート（２２）と平行すると共に、複数の貫通孔（２９２）が設けられる分隔プレート（２９１）を有し、
前記冷却管（１１）の外パイプ（１３）の排出端部（１３２）が前記後取付プレート（２２）の取付孔（２２１）に取付けられ、
該冷却管（１１）の内パイプ（１２）の注入口（１２１）が前記外パイプ（１３）の排出端部（１３２）よりさらに該分隔プレート（２９１）の貫通孔（２９２）まで延伸することにより、内パイプ（１２）の注入口（１２１）が貯液部（２９）の分隔プレート（２９１）の貫通孔（２９２）に取付けられる。そして、前記内パイプ（１２）における高温流体が外パイプ（１３）の排出端部（１３２）から流出する時、該高温流体を貯液部（２９）貯蔵することができる。
【産業上の利用可能性】
【００２５】
本考案は上記の構成を有するので、冷却管に貫通される複数の収容孔を備える可動プレートを有し、該収容孔に清潔部材が設けられ、該清潔部材が冷却管の外側に積んだ汚れを除去することにより、優れた熱交換の効率を維持することができる。
【図面の簡単な説明】
【００２６】
【図１】本考案に係る清潔効果を有する熱交換器の平面図である。
【図２】本考案に係る清潔効果を有する熱交換器の一部分解斜視図である。
【図３】本考案に係る清潔効果を有する熱交換器の使用状態を示す一部断面図である。
【図４】本考案に係る清潔効果を有する熱交換器における冷却管の使用状態を示す一部断面図である。
【図５】本考案に係る清潔効果を有する熱交換器におけるブラシ部材の斜視図である。
【図６】本考案に係る清潔効果を有する熱交換器におけるブラシ部材と可動プレートの組合状態を示す一部断面図である。
【図７】本考案に係る清潔効果を有する熱交換器における清潔部材の使用状態を示す側視図である。
【符号の説明】
【００２７】
（１０）熱交換部材
（１１）冷却管 （１２）内パイプ
（１２１）注入口 （１２２）排出口
（１２３）案内部材 （１３）外パイプ
（１３１）固定端部 （１３２）排出端部
（２０）清潔部材 （２１）前取付プレート
（２１１）係止孔 （２２）後取付プレートt
（２２１）取付孔 （２３）可動プレート
（２３１）収容孔 （２３２）ねじ山
（２３３）連結プレート（２４）ブラシ部材
（２４１）ブラシ本体 （２４２）ブラシ毛
（２４３）ねじ山 （２５）駆動装置
（２６）伝動装置 （２６１）被動ギア
（２６２）チェーン （２６３）伝動ギア
（２７）モーター部材 （２７１）モーター
（２７２）駆動部材 （２８）レール
（２９）貯液部 （２９１）分隔プレート
（２９２）貫通孔
【図１】
0003125294.tif 000003
【図２】
0003125294.tif 000004
【図３】
0003125294.tif 000005
【図４】
0003125294.tif 000006
【図５】
0003125294.tif 000007
【図６】
0003125294.tif 000008
【図７】
0003125294.tif 000009